(57)【要約】【課題】ＩＤカードの信用性及びセキュリティを確保しながら簡単にユーザ自身でＩＤカードの証明写真を更新できるＩＤカード発行システムを提供する。【解決手段】マルチカード１０の内蔵メモリに記憶されているＩＤ関連情報がマルチカード１０からデジタルカメラ５０，パーソナルコンピュータ９０及びインターネット９４を経由してＩＤカード発行機関のサーバー９３に送られる。ＩＤカード発行機関がＩＤ関連情報を確認すると、デジタルカメラ５０による証明写真の撮影が許可され、撮影された証明写真の画像データがＩＤカード発行機関のサーバー９３に送られる。ＩＤカード発行機関が証明写真を閲覧して問題がないと判定した場合、デジタルカメラ５０から証明写真の画像データがマルチカード１０に送られる。マルチカード１０は、デジタルカメラ５０から受け取った画像データの証明写真を大液晶パネル１４に表示する【選択図】        図６
2005301544.tif 000002
【特許請求の範囲】
【請求項１】
表示パネルを備えたカード形状のカード本体に、証明写真の画像データと、前記証明写真に関連するＩＤ情報とを収納し、前記表示パネルに証明写真及び／又はＩＤ情報を表示するＩＤカードと、
このＩＤカードと電気的に着脱自在に接続され、前記ＩＤカードと電気的に接続した状態で撮影した証明写真の画像データをＩＤカードに入力する撮影装置とからなることを特徴とするＩＤカード発行システム。
【請求項２】
表示パネルを備えたカード形状のカード本体に、証明写真の画像データと、前記証明写真に関連するＩＤ情報とを収納し、前記表示パネルに証明写真及び／又はＩＤ情報を表示するＩＤカードと、
このＩＤカードと電気的に接続され、撮影した証明写真の画像データをＩＤカードに入力するＩＤカード入力モードを有する撮影装置とからなり、
前記ＩＤカード入力モード時にＩＤカードからの要求に応じて撮影装置が所定のＩＤカード発行機関から承認されたカメラ暗証番号をＩＤカードに送信し、前記カメラ暗証番号をＩＤカードが照合してその正否を撮影装置に通知し、前記カメラ暗証番号が正しい場合に撮影装置による証明写真の撮影が許可され、撮影して得られた証明写真の画像データを撮影装置からＩＤカードに送信し、ＩＤカードが受け取った画像データに基づいて証明写真を表示パネルに表示することを特徴とするＩＤカード発行システム。
【請求項３】
表示パネルを備えたカード形状のカード本体に、証明写真の画像データと、前記証明写真に関連するＩＤ情報と、このＩＤ情報を所定のＩＤカード発行機関が承認したことを示すＩＤ関連情報とを収納し、前記表示パネルに証明写真及び／又はＩＤ情報を表示するＩＤカードと、
このＩＤカードと電気的に接続され、撮影した証明写真の画像データをＩＤカードに入力するＩＤカード入力モードを有する撮影装置と、
この撮影装置と電気的に接続され、ネットワーク経由でＩＤカード発行機関のコンピュータに接続されるローカル端末とからなり、
前記撮影装置によって撮影された証明写真の画像データがローカル端末及びネットワークを経由してＩＤカード発行機関のコンピュータに送られ、ＩＤカード発行機関のコンピュータから証明写真を承認した旨の通知がネットワーク及びローカル端末を経由して撮影装置に送られることにより撮影装置から証明写真の画像データがＩＤカードに送られ、ＩＤカードが画像データの証明写真を表示パネルに表示することを特徴とするＩＤカード発行システム。
【請求項４】
前記ＩＤカード発行機関のコンピュータから証明写真を承認した旨の通知が撮影装置に送られる前に、証明写真の更新について手数料を徴収する旨の通知がローカル端末に送られ、ローカル端末からの承諾の通知をＩＤカード発行機関のコンピュータが受け取ることを特徴とする請求項３記載のＩＤカード発行システム。
【請求項５】
前記画像データは、送信する前に暗号化され、受信した後に復号化されることを特徴とする請求項１ないし４いずれか記載のＩＤカード発行システム。
【請求項６】
前記ＩＤカードと撮影装置との電気的な接続は、撮影装置に設けられたメモリカードスロットに、メモリカードの代わりにセットされる接続ケーブルによって行われることを特徴とする請求項１ないし５いずれか記載のＩＤカード発行システム。
【発明の詳細な説明】
【技術分野】
【０００１】
本発明は、ＩＤカードに表示される証明写真の更新を行うＩＤカード発行システムに関する。
【背景技術】
【０００２】
学生証，社員証，運転免許証等のＩＤカードを作成するＩＤカード発行システムとしては、特許文献１に記載されたシステムが知られている。このシステムでは、ユーザのＩＤ情報（ユーザデータ）をデジタルカメラに入力しておき、ユーザの顔写真（証明写真）とＩＤ情報とを関連付けてメモリカードに記憶する。そして、このメモリカードをＩＤカード作成装置の印刷機にセットすると、印刷機がユーザのＩＤ番号に基づいてホストコンピュータからＩＤ情報を呼び出し、証明写真とＩＤ情報とを合成して一枚のカードに印刷し、ＩＤカードを発行する。
【０００３】
一方、属性情報（ＩＤ情報）の変更に際しても再発行することなく更新可能な名札カードとして使用できるＩＤカードが知られている（特許文献２）。このＩＤカードの表面には、電子ペーパー等を用いたリライト表示部が設けてあり、これに証明写真と経歴等のＩＤ情報とが表示される。また、前記ＩＤカードにはＩＣチップが埋め込まれており、これに証明写真の画像データとＩＤ情報とが記憶されている。例えば、ユーザのＩＤ情報が変わったら、ＩＣチップに記憶されているＩＤ情報を書き換えることにより、ＩＤカードのリライト表示部に表示されているＩＤ情報が変更される。
【０００４】
【特許文献１】特開２０００−２８０６６２号公報
【特許文献２】特開２００１−３１２７１０号公報
【発明の開示】
【発明が解決しようとする課題】
【０００５】
上記特許文献１では、上述したような印刷機及びホストコンピュータ等の大掛かりな設備と、これらを管理運営する複数の人員とが必要であり、多大な設備費用と運営費用とがかかるという問題点がある。そこで、証明写真をユーザ自身が所有しているデジタルカメラを用いて撮影し、上記特許文献２記載のＩＤカードのＩＣチップに記憶させることが考えられるが、ユーザが勝手にＩＤカードの証明写真を更新できるとすれば、ＩＤカードとしての信用性及びセキュリティを確保できなくなる。
【０００６】
本発明は上記事情に鑑みてなされたものであり、ＩＤカードの信用性及びセキュリティを確保した上で、適宜、簡単にユーザ自身でＩＤカードの証明写真を更新できるＩＤカード発行システムを提供することを目的とする。
【課題を解決するための手段】
【０００７】
上記課題を解決するために、本発明のＩＤカード発行システムは、表示パネルを備えたカード形状のカード本体に、証明写真の画像データと、これに関連するＩＤ情報とを収納し、前記表示パネルに証明写真及び／又はＩＤ情報を表示するＩＤカードと、このＩＤカードと電気的に着脱自在に接続され、前記ＩＤカードと電気的に接続した状態で撮影した証明写真の画像データをＩＤカードに入力する撮影装置とからなることを特徴とする。
【０００８】
また、表示パネルを備えたカード形状のカード本体に、証明写真の画像データと証明写真に関連するＩＤ情報とを収納し、前記表示パネルに証明写真及び／又はＩＤ情報を表示するＩＤカードと、このＩＤカードと電気的に接続され、撮影した証明写真の画像データをＩＤカードに入力するＩＤカード入力モードを有する撮影装置とからなり、前記ＩＤカード入力モード時にＩＤカードからの要求に応じて撮影装置が所定のＩＤカード発行機関から承認されたカメラ暗証番号をＩＤカードに送信し、前記カメラ暗証番号をＩＤカードが照合してその正否を撮影装置に通知し、前記カメラ暗証番号が正しい場合に撮影装置による証明写真の撮影が許可され、撮影して得られた証明写真の画像データを撮影装置からＩＤカードに送信し、ＩＤカードが受け取った画像データに基づいて証明写真を表示パネルに表示することを特徴とする。
【０００９】
また、表示パネルを備えたカード形状のカード本体に、証明写真の画像データと証明写真に関連するＩＤ情報とＩＤ情報を所定のＩＤカード発行機関が承認したことを示すＩＤ関連情報とを収納し、前記表示パネルに証明写真及び／又はＩＤ情報を表示するＩＤカードと、このＩＤカードと電気的に接続され、撮影した証明写真の画像データをＩＤカードに入力するＩＤカード入力モードを有する撮影装置と、この撮影装置と電気的に接続され、ネットワーク経由でＩＤカード発行機関のコンピュータに接続されるローカル端末とからなり、前記撮影装置によって撮影された証明写真の画像データがローカル端末及びネットワークを経由してＩＤカード発行機関のコンピュータに送られ、ＩＤカード発行機関のコンピュータから証明写真を承認した旨の通知がネットワーク及びローカル端末を経由して撮影装置に送られることにより撮影装置から証明写真の画像データがＩＤカードに送られ、ＩＤカードが画像データの証明写真を表示パネルに表示することを特徴とする。
【００１０】
また、前記ＩＤカード発行機関のコンピュータから証明写真を承認した旨の通知が撮影装置に送られる前に、証明写真の更新について手数料を徴収する旨の通知がローカル端末に送られ、ローカル端末からの承諾の通知をＩＤカード発行機関のコンピュータが受け取ることを特徴とする。
【００１１】
また、前記画像データは、送信する前に暗号化され、受信した後に復号化されることを特徴とする。また、前記ＩＤカードと撮影装置との電気的な接続は、撮影装置に設けられたメモリカードスロットに、メモリカードの代わりにセットされる接続ケーブルによって行われることを特徴とする。
【発明の効果】
【００１２】
本発明のＩＤカード発行システムによれば、ＩＤカードと電気的に接続された状態で撮影装置が証明写真を撮影してその画像データをＩＤカードに入力するので、画像データが撮影装置から直接にＩＤカードに入力できる。この結果、別の用途でも使用可能なメモリカードを経由することがないから、ＩＤカードの信用性及びセキュリティを確保した上で、適宜、簡単に利用者自身でＩＤカードの証明写真を更新できる。
【００１３】
また、ＩＤカードからの要求に応じてカメラ暗証番号をＩＤカードへ送信し、ＩＤカードによるカメラ暗証番号の照合により証明写真の撮影が許可されるようにしたので、ＩＤカードの信用性及びセキュリティを確保した上で、適宜、簡単に利用者自身でＩＤカードの証明写真を更新できる。
【００１４】
また、撮影装置で撮影された更新用の証明写真がＩＤカード発行機関のコンピュータに送られ、コンピュータから証明写真を承認した旨の通知が撮影装置に送られることにより撮影装置から証明写真の画像データがＩＤカードに送られるようにしたので、ＩＤカードの信用性及びセキュリティを確保した上で、適宜、簡単に利用者自身でＩＤカードの証明写真を更新できる。
【００１５】
また、証明写真の画像データを受け取ったＩＤカード発行機関のコンピュータから証明写真の更新について手数料を徴収する旨の通知がローカル端末に送られ、ローカル端末からの承諾の通知をＩＤカード発行機関のコンピュータが受け取った後、ＩＤカード発行機関のコンピュータから証明写真を承認した旨の通知が撮影装置に送られるようにしたので、無料で勝手に証明写真が変更されることを未然に防止でき、ＩＤカードの信用性及びセキュリティの確保に寄与できる。
【００１６】
また、証明写真の画像データは、送信する前に暗号化され、受信した後に復号化されるから、ＩＤカードの信用性及びセキュリティの確保に寄与できる。また、ＩＤカードと撮影装置との電気的な接続は、メモリカードの代わりにメモリカードスロットにセットされる接続ケーブルを用いて行われるので、私用に使われるメモリカードにＩＤカード入力用画像が記憶されてしまうことを未然に防止でき、セキュリティの確保に寄与できる。
【発明を実施するための最良の形態】
【００１７】
本発明のＩＤカード発行システムで使用されるＩＤカードとしてのマルチカードを示す図１において、マルチカード１０のカード形状をしたカード本体１１の前面には、大小２つの液晶パネル１４，１５と、表示ボタン１７，メニューボタン１８，送りボタン１９，戻しボタン２０及びテンキー２１が設けられている。また、左側面には、電源用のバッテリを収納するバッテリ室の蓋２４と、撮影装置としてのデジタルカメラと接続して画像データの入出力等を行う外部入出力端子２５とが設けられている。なお、太陽電池を用いて電源用バッテリを省略してもよい。
【００１８】
前記大液晶パネル１４には、ＩＤカード入力用画像としての証明写真（例えば顔写真）が表示される。また、前記小液晶パネル１５には、前記証明写真に写っている人物に関するＩＤ情報が表示される。このＩＤ情報としては、前記人物に関する略歴、所属している学校名や校章又は会社名や社章，ＣＩ（corporate identity）マーク等がある。
【００１９】
マルチカード１０の電気的な構成を示す図２において、マイクロコンピュータ３０が、前記表示ボタン１７，メニューボタン１８，送りボタン１９，戻しボタン２０及びテンキー２１からなる操作部３１の操作に応答してマルチカード１０全体の制御を行う。
【００２０】
内蔵メモリ３２には、証明写真の画像データ及び前記ＩＤ情報と、これらが所定のＩＤカード発行機関によって承認されたことを示すＩＤカード暗証番号とが１セットとして、複数セットが記憶されている。すなわち、ＩＤカード暗証番号は、各ＩＤカード発行機関毎に決められており、ＩＤカード暗証番号の照合が行われると、該当するＩＤカード発行機関に割り当てられたＩＤ情報のみの書換えが可能になる。また、内蔵メモリ３２には、所有者を特定するパスワードを記憶してあり、これをテンキー２１で入力しないと、マルチカード１０を使用することができない。なお、ＩＤカード暗証番号及びパスワードは、液晶パネル１４，１５のいずれにも表示されない。
【００２１】
前記画像データは、デジタル信号処理装置（ＤＳＰ）３３によって圧縮，伸長，暗号化，復号化等の処理が施される。伸長された画像データは、ＬＣＤドライバ３４によって大液晶パネル１４に表示される。また、前記ＩＤ情報はＬＣＤドライバ３５よって小液晶パネル１５に表示される。
【００２２】
また、電源用のバッテリ３７は、前記バッテリ室の内部に設けられたバッテリソケット３８に装着される。このバッテリソケット３８には電源ユニット３９が接続され、バッテリ３７からの電圧電流が電源ユニット３９によって増幅され、マイクロコンピュータ３０をはじめ各部に送られる。
【００２３】
なお、バッテリ３７をバッテリソケット３８に装着した時から微弱な待機電流がマルチカード１０内の各部に常時流れており、テンキー２１等の操作によってマルチカード１０の電源がオンになる。また、操作部３１のいずれも操作せずに、例えば、３０秒以上経過すると、マルチカード１０の電源がオフになる。また、前記外部入出力端子２５は、インターフェース（Ｉ／Ｆ）４１を介してマイクロコンピュータ３０に接続され、画像データの入出力やＩＤ情報の更新などに使用される。
【００２４】
このように構成されたマルチカード１０を社員証と運転免許証とに使用する場合について説明する。なお、社員証のＩＤカード発行機関は、ユーザの勤め先の会社であり、運転免許証のＩＤカード発行機関は、管轄区域の公安委員会（例えば東京都公安委員会）である。まず、テンキー２１を用いてパスワードを入力する。テンキー２１の操作に伴ってマルチカード１０の電源がオンになる。
【００２５】
マイクロコンピュータ３０は、内蔵メモリ３２に予め記憶されているパスワードと照合して合致している場合にのみ、表示ボタン１７の押圧による液晶パネル１４，１５の画面表示を許容する。もし、テンキー２１で入力されたパスワードが異なっている場合には、いくら表示ボタン１７を押しても液晶パネル１４，１５には何も表示されない。
【００２６】
正しいパスワードを入力してから表示ボタン１７を押すと、大液晶パネル１４には、マルチカード１０の所有者（ユーザ）の証明写真が表示され、小液晶パネル１５には、マルチカード１０を社員証として使用する場合には、カード所有者が社員であることを示す氏名，社名，社員番号，社章（マーク）等のＩＤ情報が表示される。また、マルチカード１０を運転免許証として使用する場合には、住所，氏名，交付日，有効期限，免許証番号等のＩＤ情報が小液晶パネル１５に表示される。
【００２７】
前記社員証と運転免許証との切り換えは、送りボタン１９又は戻しボタン２０を押すことにより行われる。また、証明写真とＩＤ情報とは関連付けがされており、内蔵メモリ３２に記憶されている。証明写真は、社員証用と運転免許証用とで違っていてもよく、また同じであってもよい。社員証用と運転免許証用とで証明写真が違っている例としては、撮影時期の相違によるものの他、運転免許証では眼鏡使用のため当然に眼鏡をかけた顔であるが、社員証では眼鏡を外した顔であるというような場合である。
【００２８】
次に、本発明のＩＤカード発行システムの第１実施形態について説明する。この第１実施形態では、前記マルチカード１０とデジタルカメラとを電気的に接続して証明写真の更新を行う。図３に示すように、マルチカード１０の外部入出力端子２５に接続ケーブル４５の一方のコネクタ４５ａを接続し、他方のコネクタ４５ｂをデジタルカメラ５０のメモリカードスロット５２に差し込む。コネクタ４５ｂは、内部のメディアソケット５３に接続される（図４参照）。
【００２９】
前記メモリカードスロット５２には、コネクタ４５ｂと二者択一的に、メモリカード５４が挿入されるから、ＩＤカード入力用画像である証明写真を撮影する際には、デジタルカメラ５０から私用のメモリカード５４に勝手に証明写真の画像データが記憶されることが防止される。
【００３０】
デジタルカメラ５０のカメラ本体５１の背面には、画像や各種設定画面が表示される液晶パネル５５が設けられ、また電子ビューファインダ（ＥＶＦ）５７が設けられている。また、カメラ本体５１の背面には、デジタルカメラ５０の各種機能を設定するために設けられた操作部５８が設けられている。
【００３１】
前記操作部５８は、液晶パネル５５にモード設定等を行うメニュー画面を表示するとともに実行キーの機能を兼用するメニュー／実行ボタン６１，操作を途中でやめる際に操作されるキャンセルボタン６２，メニュー画面ではカーソルキーとしてまた撮影時にはズームボタンとしてまた各種モードの設定キーとして機能する十字ボタン６３からなる。
【００３２】
また、カメラ本体５１の上部には、シャッタボタン６５の他、セルフポートレイトを撮影する際等に操作されるセルフタイマーボタン６６が設けられている。また、カメラ本体５１の側面には、前記メモリカードスロット５２の他に、外部入出力端子としてのＵＳＢコネクタ６７が設けられている。このＵＳＢコネクタ６７には、ローカル端末としてのパーソナルコンピュータ等が接続され、通常は画像データ等の入出力に使用されるが、デジタルカメラ５０でＩＤカード入力用画像である証明写真を撮影する際には、画像データの入出力端子として使用することが禁じられる。
【００３３】
デジタルカメラ５０の電気的な構成を示す図４において、マイクロコンピュータ６９は、操作部５８から入力される操作信号、シャッタボタン６５又はセルフタイマー７０から入力されるレリーズ信号に基づいて、デジタルカメラ１０の各部を制御する。なお、セルフタイマー７０は、前記セルフタイマーボタン６６の操作によって起動され、例えば１０秒間経過後にレリーズ信号をマイクロコンピュータ６９に出力する。
【００３４】
撮影レンズ７１の背後にＣＣＤ７２が配置されており、撮影レンズ７１のピント合わせによりＣＣＤ７２の光電面には被写体画像が結像される。ＣＣＤ７２は光電変換により被写体像を電気信号に変換して撮像信号を相関二重サンプリング回路（ＣＤＳ）７３に出力する。
【００３５】
ＣＤＳ７３は、アナログ信号である撮像信号のノイズを除去し、さらにＡＭＰ７４が撮像信号を増幅する。その後、撮像信号は、Ａ／Ｄ変換器７５にてアナログ信号からデジタル信号に変換され、画像データとしてデジタル信号処理部（ＤＳＰ）７６に入力される。
【００３６】
マイクロコンピュータ６９は、ＤＳＰ７６を制御して、シャッタボタン６５又はセルフタイマー７０からのレリーズ信号を受信した瞬間の画像データを、ＩＤカード入力モードである証明写真モードでは内部メモリ７７に、また通常のカメラ撮影モードではメモリカード５４にそれぞれ記憶する。
【００３７】
内部メモリ７７には、画像データの他に、カメラ暗証番号が記憶される。このカメラ暗証番号は、デジタルカメラ５０が所定のＩＤカード発行機関によって承認された証明写真撮影用カメラであることを示すもので、ＵＳＢコネクタ６７に接続されたパーソナルコンピュータからＵＳＢコネクタ６７，ＵＳＢコントローラ７９及びＤＳＰ７６を介して内部メモリ７７に記憶される。
【００３８】
ＤＳＰ７６は、入力された画像データに圧縮，伸長，暗号化等の処理を施して、ＯＳＤ８０に送る。このＯＳＤ８０は、画像データに基づいて液晶パネル５５，ＥＶＦ５７のそれぞれについて画面の位置、輝度や明るさ、色度調整、コントラストなどの調節・設定を行い、カメラ撮影モード又はムービー撮影モードであれば、スルー画の画像データをＥＶＦドライバ８１に送り、また再生モードであれば、メモリカード５４又は内部メモリ７７から読み出された画像データをＬＣＤドライバ８２に送る。ＥＶＦドライバ８１はＥＶＦ５７を駆動し、ＬＣＤドライバ８２は液晶パネル５５を駆動する。
【００３９】
次に、上記構成により証明写真を更新する場合のシーケンスについて、図５に示すフローチャートを参照して説明を行う。なお、マルチカード１０及びデジタルカメラ５０の両方に予めカメラ暗証番号を入力して記憶させておく。また、マルチカード１０とデジタルカメラ５０とを予め接続ケーブル４５で接続しておく。
【００４０】
まず、テンキー２１を用いてパスワードを入力する（ｓｔ１）。このパスワードが正しい場合には、マルチカード１０の使用が許可される（ｓｔ２）。表示ボタン１７を押し、更新したい社員証の証明写真をマルチカード１０の大液晶パネル１４に表示すると（ｓｔ３）、これに関連するＩＤ情報が小液晶パネル１５に表示される。次に、メニューボタン１８を押し、大液晶パネル１４にメニュー選択画面を表示させる（ｓｔ４）。ここで、証明写真取り込みモードを選択する（ｓｔ５）。もし、証明写真取り込みモード以外のモードを選択すると、他の制御フローへ移行する（ｓｔ６）。
【００４１】
証明写真取り込みモードを選択すると、ＩＤカード暗証番号の入力をユーザに要求するメッセージ「ＩＤカード暗証番号を入力して下さい」が表示される（ｓｔ７）。ユーザはテンキー２１を操作して社員証のＩＤカード暗証番号を入力する。マイクロコンピュータ３０は、内蔵メモリ３２から予め記憶されているＩＤカード暗証番号を読み出して、入力されたＩＤカード暗証番号と照合する（ｓｔ８）。この照合がＮＧの場合には、不正使用と認識してメニュー選択画面が表示された状態に戻る。また、前記照合がＯＫの場合には、デジタルカメラ５０にカメラ暗証番号の要求信号を送信する（ｓｔ９）。
【００４２】
一方、デジタルカメラ５０の電源をオンにして（ｓｔ１０）、証明写真モードにセットしておく（ｓｔ１１）。これ以外を選択した場合には、通常のカメラモードに移行する（ｓｔ１２）。証明写真モードでは、マルチカード１０以外との画像データ通信を禁止する（ｓｔ１３）。すなわち、具体的には、ＵＳＢコネクタ６７経由で画像データの入出力を行うことが禁止される。そして、マルチカード１０からのカメラ暗証番号の要求信号待機状態になる（ｓｔ１４）。また、撮影画像のサイズ，圧縮率，フォーマット等が証明写真モードに対応して設定される。
【００４３】
デジタルカメラ５０のマイクロコンピュータ６９は、マルチカード１０からカメラ暗証番号の要求信号を受信すると、カメラ暗証番号をマルチカード１０側へ送信し（ｓｔ１５）、照合待ち状態になる（ｓｔ１６）。
【００４４】
マルチカード１０のマイクロコンピュータ３０は、デジタルカメラ５０からカメラ暗証番号を受信すると（ｓｔ１７）、これと、内蔵メモリ３２に予め記憶されているカメラ暗証番号とを照合する（ｓｔ１８）。この照合結果がＮＧの場合には、接続したデジタルカメラ５０が証明写真撮影用カメラでないと認識して、メニュー選択画面表示に戻る。また、照合結果がＯＫの場合には、そのことをデジタルカメラ５０側に通知し、画像データ受信待ち状態に移行する（ｓｔ１９）。
【００４５】
デジタルカメラ５０は、照合ＯＫを受信した後、カメラ撮影モードに移行する（ｓｔ２０）。この後、ユーザは、セルフタイマーボタン６６を押すか、家族にシャッタボタン６５を押してもらい、セルフポートレイトを撮影する。この撮影は、セルフタイマーボタン６６又はシャッタボタン６５のいずれか一方を１回押圧することにより完了する。
【００４６】
前記撮影が完了して得られた画像データを内部メモリ７７に一旦記憶した後（ｓｔ２１）、ＤＳＰ７６は、ランダムに暗号化キーコードを発生し（ｓｔ２２）、この暗号化キーコードに基づいて、前記画像データをＪＰＥＧの圧縮画像データに変換する（ｓｔ２３）。
【００４７】
そして、マイクロコンピュータ７０は、ＤＳＰ７６を駆動して、前記暗号化キーコード及び圧縮画像データをメディアソケット５３，接続ケーブル４５を介してマルチカード１０に送る（ｓｔ２４）。この後、デジタルカメラ５０は電源オン直後の初期状態に戻る。このように、デジタルカメラ５０は、１回の撮影が完了する毎に、初期状態に戻るから、セキュリティの確保に寄与できる。なお、カメラ撮影モードに移行後、ある一定時間が経過してもレリーズ信号がマイクロコンピュータ７０に入力されない場合は、デジタルカメラ５０は初期状態に戻る。
【００４８】
マルチカード１０は、前記暗号化キーコード及び圧縮画像データを受信すると（ｓｔ２５）、前記暗号化キーコードに基づいて圧縮画像データを伸長して（ｓｔ２６）、画像を大液晶パネル１４に表示する（ｓｔ２７）。そして、ユーザに確認を要求するメッセージを小液晶パネル１５に表示する（ｓｔ２８）。
【００４９】
ユーザがＮＧと判断したら、テンキー２１の「０」を押し（ｓｔ２９）、ＩＤカード暗証番号の入力（ｓｔ７）から繰り返す。また、ユーザがＯＫと判断したら、テンキー２１の「１」を押し（ｓｔ３０）、画像の登録を完了して（ｓｔ３１）、マルチカード１０はメニュー選択画面に戻る。なお、カメラ暗証番号の照合ＯＫ後（ｓｔ１８）、ある一定時間経過しても暗号化キーコード及び圧縮画像データの受信がなければ、マルチカード１０はメニュー選択画面に戻る。
【００５０】
前記画像の登録では、内蔵メモリ３２に記憶されていた社員証用の旧い画像データに新しく撮影した画像データが上書き保存される。この時、旧画像データに関連付けられていたＩＤ情報は、そのまま新画像データに関連付けられる。なお、他のＩＤカード発行機関用の証明写真、例えば公安委員会用の証明写真の画像データが上書きされないのは勿論である。
【００５１】
また、デジタルカメラ５０のメモリカードスロット５２から接続ケーブル４５を抜き、代わりにメモリカード５４をメモリカードスロット５２に差し込めば、周知の一般的なデジタルカメラと同様に、撮影した画像データをメモリカード５４に記憶させることができる。
【００５２】
次に、本発明のＩＤカード発行システムの第２実施形態について説明する。この第２実施形態では、ＩＤカード発行機関の承認を得て、証明写真の更新を行う。第２実施形態の構成を示す図６において、マルチカード１０とデジタルカメラ５０との接続は、前述と同様とする。更に、デジタルカメラ５０のＵＳＢコネクタ６７にＵＳＢケーブル９１が差し込まれ、パーソナルコンピュータ９０とＵＳＢ接続される。パーソナルコンピュータ９０は、ＩＤカード発行機関のコンピュータであるサーバー９３と、ネットワークとしてのインターネット９４とを経由して接続されている。
【００５３】
以下、図７に示すフローチャートを参照して説明する。なお、前述の図５に示すフローチャートと共通するシーケンスには同じステップ番号（ｓｔ１〜３１）を付して説明を省略する。カメラ暗証番号の照合（ｓｔ１８）がＯＫの場合には、マルチカード１０内にあるＩＤ関連情報をデジタルカメラ５０及びパーソナルコンピュータ９０経由でＩＤカード発行機関のサーバー９３に送信する（ｓｔ５０〜５３）。送信のタイミングは、撮影が完了して画像データの圧縮を行った後とする（ｓｔ２３）。その後、デジタルカメラ５０から暗号化キーコード及び圧縮画像データが送信され（ｓｔ５４）、ＩＤカード発行機関のサーバー９３で受信される（ｓｔ５５）。なお、前記ＩＤ関連情報は、例えばマルチカードの型番，シリアルナンバー，ソフトウエアのバージョン，メモリ容量などであり、液晶パネル１４，１５のいずれにも表示されない。
【００５４】
ＩＤカード発行機関では、画像データを閲覧し、証明写真の変更に関して問題がないかどうか判定する（ｓｔ５６）。なんら問題がなければ、承認ＯＫの通知をデジタルカメラ５０に送信する（ｓｔ５７）。それを受けて、デジタルカメラ５０は暗号化キーコード及び圧縮画像データをマルチカード１０に送信する（ｓｔ２４）。なお、ＩＤカード発行機関では、承認した画像データを保存する。更に、承認した画像データによりＩＤ関連情報を更新して再度マルチカード１０に送信するようにしてもよい。
【００５５】
また、承認ＮＧの場合には、承認ＮＧの通知をデジタルカメラ５０に送信する（ｓｔ５８）。その際に、エラーメッセージを同時に送信して、パーソナルコンピュータ９０に表示させる。デジタルカメラ５０は、マルチカード１０に承認ＮＧを通知する（ｓｔ５９）。マルチカード１０，デジタルカメラ５０は、共に承認ＮＧを受信すると、それぞれの初期状態（マルチカード１０はメニュー選択画面表示，デジタルカメラ５０は電源オン直後）に戻る。
【００５６】
このように、本システムでは、ＩＤカード発行機関での承認を受けた証明写真のみ、マルチカード１０に保存される。更に、承認確認がＯＫとなった場合に課金が発生し、その通知をユーザ側のパーソナルコンピュータ９０に送信する（ｓｔ６０）。なお、承認確認がＯＫとなった場合に、ユーザ側のパーソナルコンピュータ９０に通知し、ユーザの課金許可（支払い許可）を受理した後、画像データ承認ＯＫ信号を発行するようにしてもよい。また、前記課金は、ユーザからの画像送信があった直後に行うようにしてもよい。
【００５７】
本システムによれば、ユーザはマルチカードの証明写真の更新を在宅したままで実施することができる。また、ＩＤカード発行機関では、撮影装置や印刷装置等を含むＩＤカード作成設備が不用になる。
【００５８】
以上説明した実施形態では、マルチカードとデジタルカメラとの電気的な接続をメモリカードスロットに差し込まれる接続ケーブルで行ったが、本発明はこれに限定されることなく、例えば赤外線通信やブルートゥース（商標）によって接続してもよい。
【００５９】
また、上記実施形態では、デジタルカメラに接続するＩＤカードとして、社員証と運転免許証とを切り換えて使用できるマルチカードを用いたが、例えば免許証のみとして使用されるＩＤカードを用いてもよい。なお、例えば周知のＰＣカードスロットのような接続端子をデジタルカメラに設け、この接続端子にダイレクトにＩＤカードを差し込むようにすれば、接続ケーブルを省略できる。
【００６０】
また、上記実施形態では、マルチカードに既に記憶されている証明写真の更新を行ったが、本発明はこれに限定されることなく、予め所定のＩＤカード発行機関から承認されたカメラ暗証番号及びＩＤ関連情報を取得しておけば、初めからデジタルカメラで証明写真を撮影して新規のＩＤカードを発行することもできる。
【００６１】
また、上記実施形態では、カメラ暗証番号の照合ＯＫ後、そのままカメラ撮影モードに移行していたが、この直前に、接続ケーブルが抜かれていないことを確認するシーケンスを追加すると、セキュリティ上より好ましい。
【００６２】
また、上記実施形態では、撮影装置としてデジタルカメラを用いたが、本発明はこれに限定されることなく、カメラ付き携帯電話等の携帯端末でもよい。また、上記実施形態では、ネットワークとしてインターネットを用いたが、イントラネット等の社内ネットワークを用いてもよい。また、上記実施形態では、ローカル端末としてパーソナルコンピュータを用いたが、ＰＤＡ等でもよい。
【図面の簡単な説明】
【００６３】
【図１】マルチカードの外観を示す斜視図である。
【図２】マルチカードの電気的構成を示すブロック図である。
【図３】ＩＤカード発行システムの第１実施形態の構成を示す斜視図である。
【図４】デジタルカメラの電気的構成を示すブロック図である。
【図５】第１実施形態におけるシーケンスを示すフローチャートである。
【図６】ＩＤカード発行システムの第２実施形態の構成を示す説明図である。
【図７】第２実施形態におけるシーケンスを示すフローチャートである。
【符号の説明】
【００６４】
１０  マルチカード
１４  大液晶パネル
１５  小液晶パネル
３０，６９  マイクロコンピュータ
３２  内蔵メモリ
５０  デジタルカメラ
９０  パーソナルコンピュータ
９３  サーバー
【図１】
2005301544.tif 000003
【図２】
2005301544.tif 000004
【図３】
2005301544.tif 000005
【図４】
2005301544.tif 000006
【図５】
2005301544.tif 000007
【図６】
2005301544.tif 000008
【図７】
2005301544.tif 000009